(57)【特許請求の範囲】
【請求項１】
ロールペーパーが自由に回転できるロールペーパーホルダーに於て、ロールペーパーの巻芯（Ｆ）に差し込まれた丸芯棒（Ｈ）の側面に、取付け角の異なる、操作用レバー（Ａ）作動用レバー（Ｂ）２本の平型レバーを取り付け、操作用レバー（Ａ）を前後することで、ペーパー先端（Ｅ）が引出に都合のよい状態になるよう考案されたもので、操作用レバー（Ａ）を、ロールペーパー（Ｄ）の引出側に傾ける時、操作用レバー（Ａ）の内側のペーパーカバー（Ｃ）下側にある作動用レバー（Ｂ）の先端がロールペーパー（Ｄ）上にあるペーパーカバー（Ｃ）を持上げて、ロールペーパー（Ｄ）との間に空間を作り、丸心棒（Ｈ）に接触するロールペーパー巻芯（Ｆ）との間の摩擦により、ロールペーパー（Ｄ）は、引出側に回転させられ、その後作動レバー（Ｂ）の先端が、ペーパーカバー（Ｃ）の側面に設定された切欠き（Ｋ）に出合った時点で、ペーパーカバー（Ｃ）の持上げ工程は中断され、持上げられているペーパーカバー（Ｃ）がロールペーパー（Ｄ）上に降ろされて、ロールペーパー（Ｄ）の回転にブレーキがかけられた状態となり、操作用レバー（Ａ）、作動用レバー（Ｂ）は、ペーパーカバー（Ｃ）の側面に沿って戻し用バネ（Ｇ）の伸縮も加わり、ロールペーパーを逆回転させることなく初期の状態に引き戻されるよう構成されたロールペーパーホルダー。
【請求項２】
本体の上面に、ペーパーカバー支点（Ｐ）を軸として他端が自由に上下動可能なペーパーカバー（Ｃ）があり、ペーパーカバー（Ｃ）の側面には作動用レバーストップ用切欠き（Ｋ）が、裏面には、カバー用重量（Ｗ）、ペーパー押え用突起（Ｍ）が設けられ、作動用レバーストップ用切欠き（Ｋ）は作動用レバー（Ｂ）がペーパーカバー（Ｃ）をロールペーパー（Ｄ）上に降ろした後の戻り工程で、ペパーカバー（Ｃ）の側面への移行がスムースに出来るように、一辺が緩やかなカーブ状に作られ、この切欠き（Ｋ）の巾は操作用レバー（Ａ）の巾より狭く、作動用レバー（Ｂ）の巾より広くなるような範囲内に設定されることを特徴とする請求項１記載のロールペーパーホルダー。
【発明の詳細な説明】
【技術分野】
【０００１】トイレで使用するロールペーパーホルダー
【背景技術】
【０００２】これまで一般的に使用されているロールペーパーホルダーではロール紙を引き出して切断した時に、ロール紙の先端が次回の使用に都合よく残らず、紙の先端を手で探し出す作業にせまられるのが普通であった。
【発明の開示】
【発明が解決しようとする課題】
【０００３】使用時にロールペーパーの先端を簡単な操作で円滑に引き出し出来るようにしようとするもの。
【問題を解決するための手段】
【０００４】ロールペーパー（Ｄ）を回転させる方法は次のようになる。
１．ロールペーパーホルダーには図１、図７の器具フレーム（Ｌ）の両側で作られた回転軸に支えられている丸芯棒（Ｈ）があり、この丸芯棒（Ｈ）の一端に、操作用レバー（Ａ）作動用レバー（Ｂ）が取り付けられている。
２．図１、図３で、ロールペーパー巻芯（Ｆ）に巻かれたロールペーパー（Ｄ）は、丸心棒（Ｈ）上に置かれた状態にあり、ペーパー先端（Ｅ）を引き出し状態にするには、操作用レバー（Ａ）を引き出し方向に傾けることで丸芯棒（Ｈ）を回転させる。この回転で丸心棒（Ｈ）上に置かれたロールペーパー（Ｄ）は、丸心棒（Ｈ）との間の摩擦抵抗により回転させられ、ペーパー先端（Ｅ）は、ペーパーカバー（Ｃ）の外側に送出される。
３．図３、図４で、紙送り時には、作動用レバー（Ｂ）が、ペーパーカバー（Ｃ）を持上げて、ロールペーパー（Ｄ）の回転を可能とし、操作用レバー（Ａ）の戻し時には、ペーパーカバー（Ｃ）をロールペーパー（Ｄ）上に降ろして回転にブレーキをかけ、丸心棒（Ｈ）だけが空回りして図１、の状態に戻される。
【０００５】図１、図５で、ロールペーパー（Ｄ）のコントロール用に、ペーパーカバー（Ｃ）には、ペーパー押え突起（Ｍ）とカバー用重量（Ｗ）が取付けられる。
１．ペーパー押さえ突起（Ｍ）は、ロールペーパー（Ｄ）上の一点に、ペーパーカバー（Ｃ）の重力を集中的に加えて回転にブレーキをかけることになる。そのためペーパー押さえ突起（Ｍ）は、ブレーキ効率をよくするため逆三角形の突起状に作られている。
２．カバー用重量（Ｗ）は、ペーパー押さえ突起（Ｍ）の効率に最適な重量と、カバーの総重量を考慮して位地と形状が決められる。
３．ペーパー押え突起（Ｍ）は、ロールペーパー（Ｄ）の使用量による太さの大小により、ペーパーカバー（Ｃ）が上下に移動した時も、常にロールペーパー（Ｄ）上の一点でペーパーカバー（Ｃ）の支持が可能な位置に設定されなければならない。
【０００６】操作用レバー（Ａ）作動用レバー（Ｂ）作動用レバーのストップ用切欠き（Ｋ）の関係は以下のようになる。
１．作動用レバーストップ用切欠き（Ｋ）は、図４、図５、図６で、操作用レバー（Ａ）の移動と連動する作動用レバー（Ｂ）の先端が丸心棒（Ｈ）の略真上になる時のペーパーカバー（Ｃ）の側面位置に作られる。
２．作動用レバーストップ用切欠き（Ｋ）の型は矩形ではなく、一辺が斜めに切込まれ、その切込みの角は緩やかなカーブ状に仕上げられる。
３．図５、図６の上面図は、図１、図３の側面図と対応して、操作用レバー（Ａ）作動用レバー（Ｂ）の移動位置を示し、図６で、作動用レバー（Ｂ）が作動用レバーストップ用切欠き（Ｋ）に達し、図３で、ペーパーカバー（Ｃ）が、ロールペーパー上に降ろされた状態で、図４の操作用レバー（Ａ）作動用レバー（Ｂ）は、戻し用バネ（Ｇ）と操作用レバー（Ａ）の初期状態への戻し操作により、それぞれ図４の位置から図２の位置に戻される。
４．作動用レバー（Ｂ）は、図６から図５の位置に戻されるとき、図６の、レバーストップ用切欠き（Ｋ）の辺縁に沿ってペーパーカバー（Ｃ）の外縁を戻り、作動用レバー（Ｂ）の先端が図１の、ペーパーカバー（Ｃ）の下側に達した時点でペーパーカバー（Ｃ）の側面より図５の位置に戻される。
５．作動用レバー（Ｂ）が操作用レバー（Ａ）の前後操作と共に移動し、レバーストップ用切欠き（Ｋ）から側面に沿って元位置に戻る過程で、作動用レバー（Ｂ）は、厚み分の（約２ミリ程度）たわみを要求されるため、作動用レバー（Ｂ）にはプラスチック等の柔軟な材質が求められる。
【０００７】図３、図４で、操作用レバー（Ａ）はレバーストップ用切欠き（Ｋ）のサイドを前後に移動するため、レバーストップ用切欠き（Ｋ）の巾より広くすることによって円滑な移動が可能となる。又作動用レバー（Ｂ）の横巾はレバーストップ用切欠き（Ｋ）より狭くすることで、ペーパーカバー（Ｃ）は作動用レバー（Ｂ）に沿ってロールペーパー（Ｄ）上に降ろされる。
【０００８】作動用レバー（Ｂ）の一辺にある切欠き（Ｓ）は、ペーパーカバー（Ｃ）がロールペーパー（Ｄ）上に降ろされる時ペーパーカバー（Ｃ）と作動用レバー（Ｂ）の交錯を避けるためのもの。
【０００９】戻し用バネ（Ｇ）は、図１、図３で、操作用レバー（Ａ）と連動する作動用レバー（Ｂ）の動きにつれて伸縮し、作動用レバー（Ｂ）が、元位置に引き戻される時に、スムースな補助効果のために付けられる。
【発明を実施するための最良の形態】
【００１０】請求項１、請求項２からなるロールペーパーホルダーは、使用環境を考慮した清潔で単純な機構と、使用部品の少ない日常衛生的な器具である事が求められる。
【実施例】
【００１１】ロールペーパー（Ｄ）の前後方向への回転は、ペーパーカバー（Ｃ）にあるペーパー押え突起（Ｍ）によりブレーキが掛けられた状態にあり、ロールペー先端（Ｅ）の引出しは、操作用レバー（Ａ）作動用レバー（Ｂ）との連携により行われる。結果的には、操作用レバー（Ａ）の紙送り時にのみブレーキが解除された状態となり、ロールペーパー（Ｄ）が回転するようになる。
ロールペーパー（Ｄ）の送り出し側への回転は、操作用レバー（Ａ）と作動用レバー（Ｂ）が固定された丸心棒（Ｈ）と、ロールペーパー芯（Ｆ）との間に生じる微小な回転摩擦により駆動される。
【発明の効果】
【００１２】ロールペーパー（Ｄ）の先端が見当たらない時は、操作用レバー（Ａ）を紙送り方向に引くことにより、素早くロールペーパー（Ｄ）の先端部を引き出すことができる。
【図面の簡単な説明】
【図１】側面図
【図２】操作レバー説明図１
【図３】操作説明側面図
【図４】操作レバー説明図２
【図５】操作レバー上面説明図１
【図６】操作レバー上面説明図２
【図７】本体上面透し図
【図８】操作レバー説明図３
【符号の説明】Ａ  操作用レバー            Ｈ  丸心棒
Ｂ  作動用レバー            Ｋ  作動用レバーストップ用切欠き
Ｃ  ペーパーカバー          Ｌ  器具フレーム
Ｄ  ロールペーパー          Ｍ  ペーパー押え突起
Ｅ  ペーパー先端            Ｓ  操作用レバー切欠き
Ｆ  ロールペーパー巻芯      Ｗ  カバー用重量
Ｇ  戻し用バネ
【図１】
0005053677.tif 000002
【図２】
0005053677.tif 000003
【図３】
0005053677.tif 000004
【図４】
0005053677.tif 000005
【図５】
0005053677.tif 000006
【図６】
0005053677.tif 000007
【図７】
0005053677.tif 000008
【図８】
0005053677.tif 000009